(57)【要約】  【課題】  墓前に花立てや花篭を置くスペースが十分に確保できない場合でも、供花を切子のように墓地内の横棹に吊り下げることができ、更に、廃棄処分も手軽にできる供花用紙器を提供すること。  【解決手段】  供花ボックス１は、墓前に盛花状の生花又は造花を供花するための紙器であって、紙製中空箱状のボックス本体２と、一組の吊下げ帯板３とを備えている。ボックス本体２は、一組の吊下げ帯板３，３の先端部分３ａ，３ａを互いに係合させて連結させることで、墓地内に渡設された横棹に吊下げられる。また、天板８は略凹面状の湾曲面を形成されており、この湾曲面によって天板８の上に載置される盛花の花々が安定した状態で受け支えられる。また、天板８の略中央には穿孔１７が穿設されており、天板８の上に載置される盛花の花々の花茎が突き刺される。【選択図】        図１
2006055482.tif 000002
【特許請求の範囲】
【請求項１】
紙製の中空箱状体のボックス本体と、
そのボックス本体の上部を覆ってそのボックス本体の上面を略凹面状の湾曲面に形成する天板と、
その天板における前記湾曲面の略最底部に穿設され前記ボックス本体の内部空間に連通する穿孔と、
その穿孔と連通する内部空間を有する前記ボックス本体における正面板および背面板からそれぞれ上方に延設される一組の吊下げ帯板と、
その一組の吊下げ帯板の先端部分にそれぞれ設けられその一組の吊下げ帯板の先端部分同士を着脱可能に係合させる一対の係合部とを備えていることを特徴とする供花用紙器。
【請求項２】
前記ボックス本体の側面板の少なくとも一方には文字を書記可能な平面スペースが設けられ、
その平面スペースは、その周囲が枠線により縁取られているか、又は、その平面スペースの境界外と異なる彩色が施されていることを特徴とする請求項１記載の供花用紙器。
【請求項３】
前記ボックス本体の正面板には名号または題目の文字を縦書き表記可能な縦長の平面スペースが設けられ、
その平面スペースは、その周囲が枠線により縁取られているか、又は、その平面スペースの境界外と異なる彩色が施されていることを特徴とする請求項１又は２に記載の供花用紙器。
【請求項４】
前記一組の吊下げ帯板のうち、少なくとも前記ボックス本体の正面板から延設される前記吊下げ帯板には透し窓が開口形成されていることを特徴とする請求項１から３のいずれかに記載の供花用紙器。
【請求項５】
前記一対の係合部は、前記一組の吊下げ帯板の先端部分にそれぞれ設けられる切込みであって、その切込みを互いに差込むようにして噛み合わせることで前記一組の吊下げ帯板の先端部分同士を着脱可能に係合させるものであることを特徴とする請求項１から４のいずれかに記載の供花用紙器。
【請求項６】
一枚綴りに形成される組立て用台紙を折り曲げて組立てられる紙器であって、前記ボックス本体の底板が底組方式によって形成されるものであることを特徴とする請求項１から５のいずれかに記載の供花用紙器。
【請求項７】
前記ボックス本体の両側面にある一対の側面板の上縁にそれぞれ連設され、その各側面板の上縁に沿って前記ボックス本体の内側下方へ折曲され、且つ、その折曲部分を介して弾性復元力を現出させる一対の緩衝片を備えており、
前記天板は、前記正面板および背面板側の縁辺がその正面板および背面板から分離され、前記一対の側面板側の縁辺が前記一対の緩衝片とそれぞれ接続されていることを特徴とする請求項１から６のいずれかに記載の供花用紙器。
【発明の詳細な説明】
【技術分野】
【０００１】
本発明は、墓前に供花するために使用される供花用紙器に関するものである。
【背景技術】
【０００２】
北陸地方の一部地域（例えば金沢市周辺部）には、お盆の時期に墓参者が灯明を墓前に進上する先祖供養の風習があり、この灯明を灯すために使用される灯籠は「切子（キリコ）」と称されている。また、この地域のお盆の時期には、このような切子を吊下げるための横棹が墓地内に渡設されており、墓参者はその横棹に自らが持参した切子を吊下げて、その切子の中に立てられた蝋燭に火を灯して、故人の冥福を祈るのである。
【０００３】
このように切子には先祖供養のため墓前に灯明を進上するという意味合いがあるが、墓参者が墓前に供えるべきものとしては、灯明の他、供花が必要不可欠である。このため、各家々の墓には供花のための花立てが予め設えられている。また、このような墓前の花立ての数は、その地方や宗派によっても若干相違するが、おおむね墓前左右に一対あるのが一般的である。
【特許文献１】実開平３−１５４０７号公報
【特許文献２】特開２００３−８２８８６号公報
【発明の開示】
【発明が解決しようとする課題】
【０００４】
しかしながら、お盆のように数日間に墓参者が多数訪れるような時期には、墓前の花立てのみでは数が足りないこともある。このため、複数の者が前後して墓参するような場合には、後から墓参に訪れた者は墓前に装備される花立てに自らが持参した供花を生けることができなかったり、或いは、先に墓参に訪れた者の供花が後から墓参に訪れた者によって廃棄処分されてしまうことがあるという問題点がある。
【０００５】
また、先に墓参に訪れた者の供花を、後に墓参に訪れた者自らが持参した供花に生け替えるのも忍びないので、後から墓参に訪れた者が自身が持参した花を花立てに生けずに単に墓前に立てかけるなどして供花したりすることもある。しかしながら、このように花を生けずに墓前に供すると、生花ならば当然に直ぐに萎れ枯れてしまい、折角の墓参者の供養が台無しとなってしまうという問題点がある。
【０００６】
更に、後の墓参者が花篭を用いて墓前に供花することもできるが、各家々の墓地の大きさは様々であり、墓地の敷地面積が小さな場合には花篭を置くスペースすら十分に確保することができないという問題点がある。また、このような花篭が大量に墓地に置き去りにされたのでは、墓地の所有者や管理者がお盆を過ぎた後に花篭を廃棄処分するのに極めて煩雑であるという問題点もある。
【０００７】
本発明は、上述した問題点を解決するためになされたものであり、墓前に花立てや花篭を置くスペースが十分に確保できない場合でも、供花を切子のように墓地内の横棹に吊り下げることができ、更に、廃棄処分も手軽にできる供花用紙器を提供することを目的としている。
【課題を解決するための手段】
【０００８】
この目的を達成するために請求項１記載の供花用紙器は、紙製の中空箱状体のボックス本体と、そのボックス本体の上部を覆ってそのボックス本体の上面を略凹面状の湾曲面に形成する天板と、その天板における前記湾曲面の略最底部に穿設され前記ボックス本体の内部空間に連通する穿孔と、その穿孔と連通する内部空間を有する前記ボックス本体における正面板および背面板からそれぞれ上方に延設される一組の吊下げ帯板と、その一組の吊下げ帯板の先端部分にそれぞれ設けられその一組の吊下げ帯板の先端部分同士を着脱可能に係合させる一対の係合部とを備えている。
【０００９】
この請求項１記載の供花用紙器によれば、供花される花々の花茎が穿孔へと突き刺され、その花々が天板上面である湾曲面に載置される。これによって、ボックス本体の上部に盛花が形作られる。盛花されたボックス本体は、一組の吊下げ帯板によって、切子を吊下げるためにお盆の墓地内に渡設された横棹に吊下げられる。
【００１０】
ここで、ボックス本体を吊下げる場合には、まず、一対の係合部の係合状態が解かれた後、一方の吊下げ帯板が横棹の前側下方から上方へと回され、他方の吊下げ帯板が横棹の後側下方から上方へと回されてから、横棹の上方で一対の係合部が係合されると、一組の吊下げ帯板が相互に連結される。そして、この連結された一組の吊下げ帯板を横棹に跨乗させれば、ボックス本体が横棹から吊下げられるのである。
【００１１】
なお、天板に載置される花は生花又は造花のいずれであっても良いが、生花が用いられる場合には、ボックス本体が中空箱状体であるので、その内部に給水材を収容させて、その給水材に生花の花茎を突き刺すことで生花に水分を供給させることができる。
【００１２】
請求項２記載の供花用紙器は、請求項１記載の供花用紙器において、前記ボックス本体の側面板の少なくとも一方には文字を書記可能な平面スペースが設けられ、その平面スペースは、その周囲が枠線により縁取られているか、又は、その平面スペースの境界外と異なる彩色が施されている。
【００１３】
この請求項２記載の供花用紙器によれば、請求項１記載の供花用紙器と同様に作用する上、ボックス本体における少なくとも一方の側面板には平面スペースが設けられるので、この平面スペースに必要な事項、例えば、墓参者の名前などが必要に応じて書記される。
【００１４】
また、平面ペースはその周囲が枠線により縁取られるか、又は、平面スペースの境界外と異なる彩色が施されるので、墓参者に対して必要事項を書記すべき箇所およびその範囲を示唆できる。また、この平面スペースに書記された墓参者の名前を墓の所有者が確認することで、墓参者が誰であるかを知ることができる。
【００１５】
なお、平面スペースはボックス本体の両方の側面板に設けることもできる。かかる場合、一方の側面板の平面スペースには墓参者の名前を書記でき、他方の側面板の平面スペースには故人へのメッセージなどを墓参者が書記することができる。
【００１６】
請求項３記載の供花用紙器は、請求項１又は２に記載の供花用紙器において、前記ボックス本体の正面板には名号または題目の文字を縦書き表記可能な縦長の平面スペースが設けられ、その平面スペースは、その周囲が枠線により縁取られているか、又は、その平面スペースの境界外と異なる彩色が施されている。
【００１７】
この請求項３記載の供花用紙器によれば、請求項１又は２に記載の供花用紙器と同様に作用する上、ボックス本体の正面板には縦長の平面スペースが設けられるので、この平面スペースに名号や題目が縦書きで表記できる。また、縦長の平面ペースはその周囲が枠線により縁取られるか、又は、平面スペースの境界外と異なる彩色が施されるので、墓参者に対して必要事項を表記すべき箇所およびその範囲を示唆できる。
【００１８】
なお、この縦長の平面スペースに予め題目又は名号を印刷することもできる。この場合、平面スペースの縁取りや彩色は題目や名号を際立たせる装飾的な作用を及ぼす。また或いは、題目又は名号が縦書きで印刷されたステッカーであって正面板の平面スペースに合致するサイズのものを、その縦長の平面スペースに貼着させることもできる。この場合、平面スペースの縁取りや彩色はステッカーを貼着する範囲を示唆する目印ともなる。
【００１９】
請求項４記載の供花用紙器は、請求項１から３のいずれかに記載の供花用紙器において、前記一組の吊下げ帯板のうち、少なくとも前記ボックス本体の正面板から延設される前記吊下げ帯板には透し窓が開口形成されている。
【００２０】
この請求項４記載の供花用紙器によれば、請求項１から３のいずれかに記載の供花用紙器と同様に作用する上、ボックス本体の正面板から延設される吊下げ帯板には透し窓が開口形成されるので、この透し窓からも天板上面に載置される盛花を眺めることができる。また、この透し窓を通して天板上に載置される花を正面側に突き出させることで、ボックス本体をより華やかに飾り付けることもできる。
【００２１】
請求項５記載の供花用紙器は、請求項１から４のいずれかに記載の供花用紙器において、前記一対の係合部は、前記一組の吊下げ帯板の先端部分にそれぞれ設けられる切込みであって、その切込みを互いに差込むようにして噛み合わせることで前記一組の吊下げ帯板の先端部分同士を着脱可能に係合させるものである。
【００２２】
この請求項５記載の供花用紙器によれば、請求項１から４のいずれかに記載の供花用紙器と同様に作用する上、一組の吊下げ帯板の先端部分は、その先端部分にそれぞれ設けられる一対の係合部であるところの切込みを互いに差込むようにして噛み合わせることで着脱可能に係合される。
【００２３】
このため、一対の係合部である切り込み同士を噛み合わせたり或いは外したりすることで、ボックス本体を、墓地内に渡設される横棹に吊下げたり、或いは、横棹から取り外したりすることが容易にできる。また、一組吊下げ帯板の先端部分同士を連結させるための金具などを別途備え付けずとも、一組の吊下げ帯板を横棹に吊下げることができる。
【００２４】
請求項６記載の供花用紙器は、請求項１から５のいずれかに記載の供花用紙器において、一枚綴りに形成される組立て用台紙を折り曲げて組立てられる紙器であって、前記ボックス本体の底板が底組方式によって形成されるものである。
【００２５】
この請求項６記載の供花用紙器によれば、請求項１から５のいずれかに記載の供花用紙器と同様に作用する上、組立て用台紙のままであれば、一枚綴りのシート状の紙材であるので、その持ち運びに嵩張ることもない。また、組立て後のボックス本体の壁面に文字を書くような場合は筆記具を持つ手やボックス本体自体が不安定となってボックス本体壁面に文字が書きづらいが、組立て前の組立て用台紙はシート状の紙材なので文字も書きやすくなる。更に、ボックス本体の底板が底組方式によって形成されるので、中空箱状体の内部に給水材が設置されて底板に重みが加わる場合でも、ボックス本体の底板が底抜けすることが抑制される。
【００２６】
請求項７記載の供花用紙器は、請求項１から６のいずれかに記載の供花用紙器において、前記ボックス本体の両側面にある一対の側面板の上縁にそれぞれ連設され、その各側面板の上縁に沿って前記ボックス本体の内側下方へ折曲され、且つ、その折曲部分を介して弾性復元力を現出させる一対の緩衝片を備えており、前記天板は、前記正面板および背面板側の縁辺がその正面板および背面板から分離され、前記一対の側面板側の縁辺が前記一対の緩衝片とそれぞれ接続されている。
【００２７】
この請求項７記載の供花用紙器によれば、請求項１から６のいずれかに記載の供花用紙器と同様に作用する上、天板に穿設される穿孔へ花茎を差し込む場合に、穿孔の周縁に花茎が引っ掛かって天板が下方へ押されると、その天板は一対の緩衝片を介して下方へ押し下げられる。
【００２８】
しかし、花茎を差し込む力が緩められると、一対の緩衝片の弾性復元力によって天板は上方へ押し戻される。このように穿孔へ無理に花茎が差し込まれる場合にボックス本体の天板に作用する外力は一対の緩衝片を介して緩められるので、ボックス本体に無理な力が加わって破損することを抑制できる。
【発明の効果】
【００２９】
本発明の供花用紙器によれば、ボックス本体の天板上には花々の盛花が載置され、この盛花されたボックス本体は一組の吊下げ帯板によって切子吊下げ用の横棹に吊下げられるので、墓前の花立ての数が不足したり、或いは、花篭を置くようなスペースが墓地になくても、墓参者が墓前に供花することができるという効果がある。
【００３０】
従って、複数の者が前後して墓参するような場合に、後から墓参に訪れた者が墓前に装備される花立てに自らが持参した供花を生けることができなくても、墓前に供花することができるという効果がある。そして、先に墓参に訪れた者の供花が後から墓参に訪れた者によって廃棄処分されてしまうようなことも防止できるという効果がある。
【００３１】
また、天板の上面は略凹面状の湾曲面に形成されるので、この湾曲面で花々を安定した状態で受け支えることができ、花々が天板上面から脱落することを抑制できるという効果がある。また、天板の湾曲面の略最底部にはボックス本体の内部空間へ連通する穿孔が穿設されるので、この穿孔へ花茎を突き刺すことで、天板上の花々を更に安定した状態で支えることができるという効果がある。
【００３２】
また、ボックス本体は略中空箱状体に形成されるので、そのボックス本体の内部空間に給水材を収容できる。従って、穿孔に突き刺された花茎を、ボックス本体内に収容された給水材に突き刺すことで生花に給水させて、生花を長持ちさせることができるという効果がある。
【００３３】
また、ボックス本体は紙製であって、使用後には生花などと共に可燃物として焼却処分することもできるので、墓地の所有者や管理者がお盆を過ぎた後に容易に処分できるという効果がある。しかも、使用済みのボックス本体が大量に廃棄されるとしても、ボックス本体は紙製なので潰してしまえば容易に嵩を減らすことができ、廃棄処分の際に嵩張りにくいという効果がある。
【発明を実施するための最良の形態】
【００３４】
以下、本発明の好ましい実施例について、添付図面を参照して説明する。図１は、本発明の供花用紙器の一実施例である供花ボックス１を正面右側上方から斜視した外観斜視図であり、図中ではボックス本体２の両側の側面板５，６うち、ボックス本体２の右側の側面板５のみが図示されている。
【００３５】
供花ボックス１は、墓前に盛花状の生花又は造花を供花するための紙器であって、その全体がボール紙などの可撓性を有する可燃性紙材で形成されている。図１に示すように、供花ボックス１は、主として、紙製の中空箱状体に形成されるボックス本体２と、一組の吊下げ帯板３とを備えている。
【００３６】
ボックス本体２は、墓前への供花用の花々が盛られる台座として機能する略六面体であり、その正面を覆う壁板である正面板４と、その両側面を覆う壁板である側面板５，６と、その背面を覆う壁板である背面板７と、その上面を覆う壁板である天板８と、その底面を覆う壁板である底板９（図２参照）とによって、その六面が覆われている。また、このボックス本体２の正面板４及び背面板７のそれぞれには吊下げ帯板３，３がそれぞれ一体的に形成されている。
【００３７】
一組の吊下げ帯板３，３の一方は正面板４の上縁部左右両側から、その他方は背面板７の上縁部左右両側から、それぞれ上方へ延設される略アーチ形状の紙製帯板である。この一組の吊下げ帯板３，３はそれぞれの先端部分（上端部分）３ａ，３ａを互いに係合させることで連結され、切子を吊下げるために墓地内に渡設された横棹３０に吊下げることができる（図３参照）。
【００３８】
一組の吊下げ帯板３，３にはそれぞれ透し窓１１，１２が開口形成されている。具体的に、透し窓１１は、正面板４とそれに連設される吊下げ帯板３とにより囲まれた内周に形成される開口であって、透し窓１２は、背面板７とそれに連設される吊下げ帯板３とにより囲まれた内周に形成される開口である。
【００３９】
この透し窓１１，１２から、天板８の上面に載置される盛花を眺めることもでき、天板８上にある花をボックス本体２の正面側や背面側へ突き出させることもでき、より多彩な花の配置を作り出すことができ、更に、より数多くの花をボックス本体２に載置することもできる。
【００４０】
正面板４はその表面が平面状に形成されており、その正面板４の幅方向（図１左右方向）中央には、上下方向に長径が採られた略楕円形の枠線１３が表示されている。正面板４には、枠線１３により縁取られた内側に空白の領域が設けられており、この空白領域は「南無阿弥陀佛」の名号、「南無妙法蓮華経」の題目、又は、その他の文字を縦書きに表記するための平面スペース１４である。
【００４１】
なお、平面スペース１４に表記される名号や題目などの内容は、供花ボックス１が供えられる墓が属する宗派などに応じて適宜変更することができる。
【００４２】
また、平面スペース１４は枠線１３により縁取られているので、墓参者に対して必要事項を書記すべき箇所および範囲を示唆することができる。更に、正面板４における平面スペース１４の上方には、正面視略半球状の舌片４ａが形成されている。この舌片４ａは、正面板４に縦長の平面スペース１４を設けるために正面板４の上部を延設させたものであり、正面板４を装飾するための役目も備えている。
【００４３】
ボックス本体２の側面板５，６はその表面が平面状に形成されており、ボックス本体２の右側の側面板５には、四隅が円弧状に丸められた略矩形状の枠線１５が表示されている。側面板５における枠線１５により縁取られた内側には空白の領域が設けられており、この空白領域は墓参者の名前などの文字を書記するための平面スペース１６である。
【００４４】
例えば、この平面スペース１６には「進上  ○○家」などの文字が書記される（図３参照）。また、平面スペース１６は枠線１５により縁取られているので、墓参者に対して必要事項を書記すべき箇所および範囲を示唆することもできる。
【００４５】
天板８は、一組の吊下げ帯板３，３における相互に係合された先端部分３ａ，３ａの下方に設けられている。この天板８は、一方の側面板５側から他方の側面板６側にかけて下方に膨らむように渡架されており、ボックス本体２の上面に略凹面状の湾曲面を形成している。この湾曲面によって、天板８の上に載置される盛花の花々が安定した状態で受け支えられるのである。
【００４６】
また、天板８の略中央であって天板８の湾曲面の略最底部には穿孔１７が穿設されている。この穿孔１７は、ボックス本体２の内部空間と連通されており、天板８の上に載置される盛花の花々の花茎が突き刺される。このように花茎が穿孔１７に突き刺されることで、天板８の上に載置された花がボックス本体２から抜け落ちにくくなる。
【００４７】
しかも、ボックス本体２内部に給水材（図示せず）を収容して、この給水材に穿孔１７からボックス本体２内へ挿入された花茎を突き刺せば、生花に給水して長持ちさせることもできる。
【００４８】
図２は、供花ボックス１を背面右側下方から斜視した外観斜視図であり、図中ではボックス本体２の両側の側面板５，６うち、ボックス本体２の右側の側面板５のみが図示されている。図２に示すように、供花ボックス１は、ボックス本体２の底板９がセミオートマチックロックボトムなどの底組方式によって形成されており、この底板９は、凹型底板９ａ、係合底板９ｂ，９ｃ、及び、台形底板９ｄ（図４参照）が相互に組み合わさることでボックス本体２の底面を塞いでいる。
【００４９】
図３（ａ）は、供花ボックス１の正面図であり、図３（ｂ）は、供花ボックス１の右側面図であり、図３（ｃ）は、供花ボックス１の背面図であり、図３（ｄ）は、供花ボックス１の左側面図である。図３（ａ）及び図３（ｃ）に示すように、一組の吊下げ帯板３，３は、いずれも上側に向けて湾出される略放物線状のアーチ形に形成されており、その先端部分３ａ，３ａに水平方向へ延びる切込みである係合部３ｂ，３ｂが形成されている（図４参照）。
【００５０】
この係合部３ｂ，３ｂによれば、それらを互いに差し込むように噛み合わせることで、図３（ｂ）及び図３（ｄ）に示すように、一組の吊下げ帯板３，３の先端部分３ａ，３ａを側面視略Ｘ字形に交差した状態で連結させることができる。よって、図３（ｂ）及び図３（ｄ）に示すように、先端部分３ａ，３ａの連結部分が横棹３０に跨乗されれば、一組の吊下げ帯板３，３を横棹３０に引っ掛けて、供花ボックス１を横棹３０に吊下げることができる。
【００５１】
また、図３（ａ）及び図３（ｃ）に示すように、透し窓１１，１２はいずれも略釣鐘状の開口に形成されているが、透し窓１１の下縁は舌片４ａの輪郭に応じて略半円弧状に凹むように形成される一方、透し窓１２の下縁は略水平直線状に形成されている。このように透し窓１１，１２は開口形状が相違するので、かかる透し窓１１，１２の開口形状を比べることでボックス本体２の正面側と背面側との区別をすることもできる。例えば、弱視者であっても供花ボックス１の向きを手触りで確認でき、また、健常者であっても一見して供花ボックス１の正面側と背面側との区別をすることができる。
【００５２】
平面スペース１４には、図３（ａ）に示すように「南無阿弥陀佛」の名号が枠線１３の内側に表記され、平面スペース１６には、図３（ｂ）に示すように「進上  ○○家」のようにして墓参者の名前が枠線１５の内側に表記される。更に、図３（ｄ）に示すように、ボックス本体２の左側の側面板６は、その表面が平面状に形成されており、四隅が円弧状に丸められた略矩形状の枠線１８が表示されている。
【００５３】
この左側の側面板６には、枠線１８により縁取られた内側に空白の領域が設けられており、この空白領域は故人へのメッセージを書記するための平面スペース１９である。例えば、図３（ｄ）に示すように「ご先祖様いつも有り難うございます」などのメッセージ文を平面スペース１９に墓参者自身が書記することができる。また、平面スペース１９は枠線１８により縁取られているので、墓参者に対して必要事項を書記すべき箇所および範囲を示唆することもできる。
【００５４】
図４は、供花ボックス１の組立て用台紙５０の一例を示した平面図であり、図中の点線は折目５１〜６４を図示している。図４に示すように、組立て用台紙５０は、供花ボックス１を展開したものであって、供花ボックス１の表面側に相当する面を平面視したものである。
【００５５】
図４に示すように組立て用台紙５０は、一枚綴りの紙材で形成されている。この組立て用台紙５０の正面板４の左右両縁辺には折目５１，５２を介して左右の側面板５，６がそれぞれ連設され、正面板４の下側縁辺には折目５３を介して凹型底板９ａが連設されている。凹型底板９ａは、折目５３に対向する縁辺の略中央部分に略凹字形の凹みである差込み凹部９ａ１が凹設されている。
【００５６】
右側の側面板５の上側縁辺（上縁）には折目５４を介して緩衝片２０の一方の長辺が連設されている。この緩衝片２０の長辺は側面板５の横幅と略等しい長さであり、緩衝片２０の他方の長辺には折目５５を介して補助片２１の一方の長辺が連設されている。また、折目５５の略中央にはその折目５５に沿ってスリット２２が形成されている。
【００５７】
側面板５の右側縁辺には折目５６を介して略台形状の折込み代２３も連設され、折目５６の略中央にはその折目５６に沿ってスリット２４が形成されている。また、側面板５の下側縁辺には折目５７を介して係合底板９ｂが連設され、この係合底板９ｂには差込み凹部９ａ１に差し込み可能に形成される差込み片９ｂ１が形成されている。
【００５８】
左側の側面板６の上側縁辺（上縁）には折目５８を介して緩衝片２５の一方の長辺が連設されている。この緩衝片２５は、上記した緩衝片２０と共に天板８に加わる外力を緩衝させる機能を有している（図５（ｂ）及び後述するその説明を参照）。この緩衝片２５の長辺は側面板６の横幅と略等しい長さであり、緩衝片２５の他方の長辺には折目５９を介して天板８の一辺が連設されている。
【００５９】
天板８の表面には同心円状の３本の枠線８ａが表記されており、この枠線８ａの中心に穿孔１７が穿設されている。この枠線８ａによれば、天板８上に盛花される位置が示唆される。また、天板８における緩衝片２５側の縁辺と対向する縁辺略中央には、略台形状の差込み片２６が連設されている。この差込み片２６は上述したスリット２２へ差込み可能に形成されている。
【００６０】
また、側面板６の下側縁辺には折目６１を介して係合底板９ｃが連設されている。この係合底板９ｃは、上述した係合底板９ｂと左右対称形に形成されており、この係合底板９ｂの差込み片９ｂ１と左右対称形の差込み片９ｃ１を備えている。この差込み片９ｃ１は、上述した係合底板９ｂの差込み片９ｂ１と一緒に凹型底板９ａの差込み凹部９ａ１に差し込み可能に形成されている。
【００６１】
背面板６の右側縁辺は折目６２を介して側面板６の左側縁辺と連設され、背面板６の左側縁辺の略中央には折目６３を介して略台形状の差込み片２７が連設されている。この差込み片２７は上述したスリット２４に差込み可能に形成されている。また、背面板６の下側縁辺には折目６４を介して略台形状の台形底板９ｄの下底部が連設されている。この台形底板９ｄの上底部には差込み片９ｄ１が連設されており、この差込み片９ｃ１は、上述した凹型底板９ａの差込み凹部９ａ１へ差込み可能に形成されている。
【００６２】
上記のように形成された組立て用台紙５０によれば、左右の側面板５，６が正面板４に対して略直角を成すように折目５１，５２にて山折りに折曲され、凹型底板９ａが正面板４に対して略直角を成すように折目５３にて山折りに折曲される。そして、左右の側面板５，６に対して係合底板９ｂ，９ｃを略直角を成すように折目５７，６１で山折りに折曲されて、係合底板９ｂ，９ｃが凹型底板９ａの下方に重畳されながら、差込み片９ｂ１，９ｃ１が差込み凹部９ａ１へ差し込まれて係合される。
【００６３】
それから、折込み代２３が側面板５に対して略直角を成すように折目５６で山折りに折曲され、背面板７が側面板６に対して略直角を成すように折目６２で山折りに折曲され、差込み片２７が側面板６に対して略直角を成すように折目６３で山折りに折曲される。このとき、まず、背面板６が折込み代２３に外側から重畳されながら、差込み片２７がスリット２４へ差し込まれると、側面板５と背面板７とが係合される。
【００６４】
この側面板５と背面板７との係合と同時に、台形底板９ｄが係合底板９ｂ，９ｃの下方に重畳されながら、差込み片９ｄ１が差込み凹部９ａ１へ差し込まれると、底板９が組み合わさってボックス本体２の底面が閉塞される。更に、緩衝片２０，２５が折目５４，５８に沿って山折りに折曲され、天板７が折目５９で谷折りに折曲され、補助片が折目５５で谷折りに折曲される。
【００６５】
その後、天板８を底板９との対向面側を湾出させるようにして湾曲させて、差込み片２６を折目６０で山折りに折曲させながら、スリット２２へ差し込ませると、天板８における側面板５，６側の縁辺が緩衝片２０，２５とそれぞれ接続されて、ボックス本体２が組立てられる。そして、一組の吊下げ帯板３，３の係合部３ｂ，３ｂ相互に差込み噛み合わせると、供花ボックス１の組立てが完了する。
【００６６】
図５（ａ）は、図３（ａ）のＶ（ａ）−Ｖ（ａ）線における断面図であり、図５（ｂ）は、図３（ｂ）のＶ（ｂ）−Ｖ（ｂ）線における断面図である。図５（ａ）に示すように、天板８は上記のごとく湾曲されるので、この天板８の表面に表記された３本の同心円状の枠線８ａは、略同心状の楕円形に歪められる。また、上記のようにして、組立てられた供花ボックス１は、天板８における正面板４側（図５（ａ）上側）および背面板７側（図５（ａ）下側）の縁辺が、正面板４及び背面板７から分離されている。
【００６７】
図５（ｂ）に示すように、緩衝片２０，２５は、側面板５，６の上縁に相当する折目５４，５８に沿って、ボックス本体２の内側下方へ折曲されている。具体的に、緩衝片２０は折目５４を介して図５（ｂ）の時計方向へ山折りに折曲される一方、緩衝片２５は折目５８を介して図５（ｂ）の反時計方向へ山折りに折曲されている。
【００６８】
ここで、緩衝片２０，２５は折目５４，５８で側面板５，６に対して弾性的に折曲されているので、緩衝片２０，２５は、折目５４，５８における折曲方向とは反対方向（図５（ｂ）の矢印Ｒ１及び矢印Ｒ２方向）へ弾性復元力を現出させることができる。
【００６９】
従って、例えば、天板８に穿設される穿孔１７へ花の茎を差し込む場合に、穿孔１７の周縁に花茎が引っ掛かって天板８が下方（図５（ｂ）の矢印Ｆ方向）へ押されると、その天板８は、一対の緩衝片２０，２５を介して下方（図５（ｂ）の矢印Ｆ方向）へ押し下げられるが、花茎を差し込む力が緩められると、一対の緩衝片２０，２５の弾性復元力によって天板８が上方（図５（ｂ）の矢印Ｆ’方向）へ押し戻される。
【００７０】
しかも、天板８自体の湾曲によっても、天板８は自らの上方（図５（ｂ）の矢印Ｆ’方向）へ向けた弾性復元力を生じさせる。従って、これらの弾性復元力によって、供花用の盛花を支える天板８に弾力性を付与できる。この結果、穿孔１７へ無理に花茎が差し込まれる場合であっても、ボックス本体２の天板８に作用する外力が緩衝されるので、ボックス本体２の破損が抑制される。
【００７１】
以上、実施例に基づき本発明を説明したが、本発明は上記実施例に何ら限定されるものではなく、本発明の趣旨を逸脱しない範囲内で種々の改良変形が可能であることは容易に推察できるものである。
【００７２】
例えば、本実施例では、平面スペース１４を空白の領域として正面板４に設けて、墓参者などが後で名号や題目などを記載することができるように形成した。しかしながら、平面スペース１４は必ずしも空白である必要はなく、例えば、平面スペース１４に予め題目又は名号を印刷するようにしても良い。この場合、平面スペース１４の枠線１３による縁取りは名号や題目を際立たせる装飾的作用を及ぼすことができる。
【００７３】
また、平面スペース１４に予め名号又は題目を印刷せずとも、名号又は題目を縦書きに印刷したステッカーを平面スペース１４に貼着するようにしても良い。かかる場合にはステッカーのサイズを正面板４の平面スペース１４のサイズに合致させるか又は若干小さくすれば、平面スペース１４の枠線１３は名号又は題目が印刷されたステッカーを貼着する範囲を示唆する目印となる。
【００７４】
また、本実施例では、平面スペース１４，１６，１９の範囲を指示するため、平面スペース１４，１６，１９の周囲を枠線１３，１５，１８により縁取ったが、平面スペース１４，１６，１９の境界内と境界外とに異なる彩色を施すことで平面スペース１４，１６，１９を現出させるようにしても良い。
【００７５】
かかる場合には、平面スペース１４，１６，１９の境界内をその境界外より淡色に彩色することで、平面スペース１４，１６，１９が文字の表記欄であることを示唆することもできる。例えば、平面スペース１４，１６，１９の境界内を略白色に彩色する一方、その境界外を淡いピンク色に彩色するようにしても良い。
【００７６】
また、本実施例では、供花ボックス１を横棹３０に吊下げることを前提に説明したが、供花ボックス１の使用方法としては、必ずしも横棹３０に吊下げるばかりではなく、底板９を地面に当接させるようにして墓前に供えることもできる。
【図面の簡単な説明】
【００７７】
【図１】本発明の一実施例である供花ボックスを正面右側上方から斜視した外観斜視図である。
【図２】供花ボックスを背面右側下方から斜視した外観斜視図である。
【図３】（ａ）は、供花ボックスの正面図であり、（ｂ）は、供花ボックスの右側面図であり、（ｃ）は、供花ボックスの背面図であり、（ｄ）は、供花ボックスの左側面図である。
【図４】供花ボックスの組立て用台紙の一例を示した平面図である。
【図５】（ａ）は、図３（ａ）のＶ（ａ）−Ｖ（ａ）線における断面図であり、（ｂ）は、図３（ｂ）のＶ（ｂ）−Ｖ（ｂ）線における断面図である。
【符号の説明】
【００７８】
１                  供花ボックス（供花用紙器）
２                  ボックス本体
３，３              吊下げ帯板
３ａ，３ａ          先端部分
３ｂ，３ｂ          係合部
４                  正面板
５，６              側面板
７                  背面板
８                  天板
９                  底板（底板）
１１，１２          透し窓
１３，１５，１８    枠線
１４                平面スペース（正面板の平面スペース）
１６，１９          平面スペース（側面板の平面スペース）
１７                穿孔
２０，２５          緩衝片
５４，５８          折目（側面板の上縁）
【図１】
2006055482.tif 000003
【図２】
2006055482.tif 000004
【図３】
2006055482.tif 000005
【図４】
2006055482.tif 000006
【図５】
2006055482.tif 000007